(57)【要約】【課題】  迅速にユーザが所望するデザインの腕時計を入手することができるようにする。【解決手段】（ａ）（ｂ）に示すように、腕時計１００は、時計ケース１０１とこの時計ケース１０１の両端部に係着されたリストバンド１０２、及びこのリストバンド１０２の先端部を係止するバックル１０３とを備えている。そして、電子表示部１０４に、（ａ）（ｂ）及び（ｄ）〜（ｇ）にも示すように、電子表示によるケース枠／文字盤表示１０８と電子表示による時刻表示１０９とを行うことにより、時計ケース１０１の文字盤部分に所望のデザインを施すものである。この所望のデザインを施すに際しては、同図（ｃ）に示すように、ＰＣ等の外部機器２００を、ネットワーク（インターネット）３００を介してサーバー４００に接続し、サーバー４００との通信により作成した時計デザインデータをＵＳＢなどの有線５００で腕時計１００に取り込む。【選択図】    図１
2006284365.tif 000002
【特許請求の範囲】
【請求項１】
所定の表示面積を有する表示手段と、
この表示手段に表示させる所望のデザインに対応する時計デザインデータを外部から取得する取得手段と、
この取得手段により取得された前記時計デザインデータに基づき、前記表示手段に前記デザインを表示させる表示制御手段と
を備えることを特徴とする腕時計。
【請求項２】
前記デザインデータは、前記所望のデザインを表示させる表示プログラムを含むことを特徴とする請求項１記載の腕時計。
【請求項３】
前記取得手段は、ユーザの操作に基づき外部機器が予め作成した時計デザインデータを前記外部機器から取得することを特徴とする請求項１又は２記載の腕時計。
【請求項４】
前記所定の表示面積を有する表示手段は、時計本体の文字盤に設けられた電子表示部であることを特徴とする請求項１、２又は３記載の腕時計。
【請求項５】
前記時計デザインデータは、前記文字盤のデザインデータであることを特徴とする請求項４記載の腕時計。
【請求項６】
前記所定の表示面積を有する表示手段は、可撓性のバンド部を含む腕時計全体の表面に設けられた電子表示部であることを特徴する請求項１、２又は３記載の腕時計。
【請求項７】
前記時計デザインデータは、前記可撓性のバンド部を含む腕時計全体のデザインデータであることを特徴とする請求項６記載の腕時計。
【請求項８】
所定の表示面積を有する表示手段を備える腕時計が有するコンピュータを、
前記表示手段に表示させる所望のデザインに対応する時計デザインデータを外部から取得する取得手段と、
この取得手段により取得された前記時計デザインデータに基づき、前記表示手段に前記デザインを表示させる表示制御手段と
して機能させることを特徴とする腕時計デザインプログラム。
【請求項９】
所定の表示面積を有する表示手段を備える腕時計のデザイン方法であって、
前記表示手段に表示させる所望のデザインデザインに対応する時計デザインデータを外部から取得する取得工程と、
この取得工程により取得された前記時計デザインデータに基づき、前記表示手段に前記デザインを表示させる表示制御工程と
を含むことを特徴とする腕時計デザイン方法。
【請求項１０】
サーバ、外部機器及び腕時計で構成される腕時計デザインシステムであって、
前記サーバは、時計デザインデータを作成するためのデザイン作成情報を供給する供給手段を備え、
前記外部機器は、前記サーバから供給されるデザイン作成情報に基づき時計デザインデータを作成する作成手段を備え、
前記腕時計は、
所定の表示面積を有する表示手段と、
この表示手段に表示させる所望のデザインに対応する時計デザインデータを前記外部機器から取得する取得手段と、
この取得手段により取得された前記時計デザインデータに基づき、前記表示手段に前記デザインを表示させる表示制御手段と
を備えることを特徴とする腕時計デザインシステム。
【請求項１１】
前記サーバから供給されるデザイン作成情報は、デザイン作成プログラム及び見本デザインデータの少なくとも一方を含むことを特徴とする請求項１０記載の腕時計デザインシステム。
【請求項１２】
前記所定の表示面積を有する表示手段は、時計本体の文字盤に設けられた電子表示部であり、前記時計デザインデータは、前記文字盤のデザインデータであることを特徴とする請求項１０又は１１記載の腕時計デザインシステム。
【請求項１３】
前記所定の表示面積を有する表示手段は、可撓性のバンド部を含む腕時計全体の表面に設けられた電子表示部であり、前記時計デザインデータは、前記可撓性のバンド部を含む腕時計全体のデザインデータであることを特徴とする請求項１０又は１１記載の腕時計デザインシステム。
【発明の詳細な説明】
【技術分野】
【０００１】
本発明は、腕時計、腕時計デザインプログラム及び腕時計デザイン方法、並びに腕時計デザインシステムに関するものである。
【背景技術】
【０００２】
従来、腕時計デザイン作成システムが提案されるに至っている。この腕時計デザイン作成システムは、腕時計メーカーが消費者から受けた申し込みキットの内容に沿ってオリジナルデザイン腕時計を製作し、消費者に配送するシステムである。申し込みキットには、消費者が記入する注文シートが含まれ、注文シートには、消費者が文字盤等にしたい写真や絵等を貼り付ける写真貼付欄や腕時計のタイプを選択するタイプ選択欄等が含まれている。そして、この注文シートを含む申し込みキットをメーカーに送ることにより、メーカー側からオリジナルデザイン腕時計が配送されるものである（例えば、特許文献１参照。）。
【特許文献１】特開平１１−３０５６５０号公報
【発明の開示】
【発明が解決しようとする課題】
【０００３】
しかしながら、前記従来の腕時計デザイン作成システムにあっては、第１に消費者が注文シートを含む申し込みキットを作成してメーカーに送り、第２にメーカーが消費者から受けた申し込みキットの内容に沿ってオリジナルデザイン腕時計を製作して、当該オリジナルデザイン腕時計を消費者に配送し、第３に消費者がこれを受け取ることにより、オリジナルデザイン腕時計が消費者つまりユーザに入手されることとなる。したがって、オリジナルデザイン腕時計をユーザに入手するまでには、前記第１〜第３工程を必要とし、迅速にユーザが所望するデザインの腕時計を入手できるものではなかった。
【０００４】
本発明は、かかる従来の課題に鑑みてなされたものであり、迅速にユーザが所望するデザインの腕時計を入手することのできる腕時計、腕時計デザインプログラム及び腕時計デザイン方法、並びに腕時計デザインシステムを提供することを目的とする。
【課題を解決するための手段】
【０００５】
前記課題を解決するため請求項１記載の発明に係る腕時計にあっては、所定の表示面積を有する表示手段と、この表示手段に表示させる所望のデザインに対応する時計デザインデータを外部から取得する取得手段と、この取得手段により取得された前記時計デザインデータに基づき、前記表示手段に前記デザインを表示させる表示制御手段とを備える。
したがって、取得手段により所望のデザインに対応する時計デザインデータを外部から取得し、この取得した時計デザインデータに基づき表示制御手段が前記所望のデザインを表示手段に表示させることにより、瞬時にして当該腕時計に所望のデザインを施すことができる。よって、ユーザは迅速に所望するデザインを有する腕時計を入手することが可能となる。
【０００６】
また、請求項２記載の発明に係る腕時計にあっては、前記デザインデータは、前記所望のデザインを表示させる表示プログラムを含む。したがって、この表示プログラムに基づく処理により、所望のデザインを表示手段に表示させることができる。
【０００７】
また、請求項３記載の発明に係る腕時計にあっては、前記取得手段は、ユーザの操作に基づき外部機器が予め作成した時計デザインデータを前記外部機器から取得する。したがって、外部機器にて所望のデザインに対応する時計デザインデータを作成しておくことにより、容易に外部から所望のデザインに対応する時計デザインデータを取得することができる。
【０００８】
また、請求項４記載の発明に係る腕時計にあっては、前記所定の表示面積を有する表示手段は、時計本体の文字盤に設けられた電子表示部であり、また、請求項５記載の発明に係る腕時計にあっては、前記時計デザインデータは、前記文字盤のデザインデータである。したがって、ユーザは、文字盤に所望のデザインが施された腕時計を迅速に入手することができる。
【０００９】
また、請求項６記載の発明に係る腕時計にあっては、前記所定の表示面積を有する表示手段は、可撓性のバンド部を含む腕時計全体の表面に設けられた電子表示部であり、請求項７記載の発明に係る腕時計にあっては、前記時計デザインデータは、前記可撓性のバンド部を含む腕時計全体のデザインデータである。したがって、ユーザは、文字盤を含む腕時計全体の表面にのデザインが施された腕時計を迅速に入手することができる。
【００１０】
また、請求項８記載の発明に係る腕時計デザインプログラムにあっては、所定の表示面積を有する表示手段を備える腕時計が有するコンピュータを、前記表示手段に表示させる所望のデザインに対応する時計デザインデータを外部から取得する取得手段と、この取得手段により取得された前記時計デザインデータに基づき、前記表示手段に前記デザインを表示させる表示制御手段として機能させる。したがって、前記コンピュータがこのプログラムに従って処理を実行することにより、請求項１記載の発明と同様の作用効果を奏する。
【００１１】
また、請求項９記載の発明に係る腕時計デザイン方法にあっては、所定の表示面積を有する表示手段を備える腕時計のデザイン方法であって、前記表示手段に表示させる所望のデザインデザインに対応する時計デザインデータを外部から取得する取得工程と、この取得工程により取得された前記時計デザインデータに基づき、前記表示手段に前記デザインを表示させる表示制御工程とを含む。したがって、記載した工程に従って処理を実行することにより、請求項１記載の発明と同様の作用効果を奏する。
【００１２】
また、請求項１０記載の発明にあっては、サーバ、外部機器及び腕時計で構成される腕時計デザインシステムであって、前記サーバは、時計デザインデータを作成するためのデザイン作成情報を供給する供給手段を備え、前記外部機器は、前記サーバから供給されるデザイン作成情報に基づき時計デザインデータを作成する作成手段を備え、前記腕時計は、所定の表示面積を有する表示手段と、この表示手段に表示させる所望のデザインに対応する時計デザインデータを前記外部機器から取得する取得手段と、この取得手段により取得された前記時計デザインデータに基づき、前記表示手段に前記デザインを表示させる表示制御手段とを備える。
【００１３】
したがって、取得手段により所望のデザインに対応する時計デザインデータを外部機器から取得し、この取得した時計デザインデータに基づき表示手段が前記所望のデザインを表示手段に表示させることにより、瞬時にして当該腕時計に所望のデザインを施すことができる。よって、ユーザが迅速に所望するデザインを有する腕時計を入手することが可能となるシステムを構築することができる。
【００１４】
また、請求項１１記載の発明に係る腕時計デザインシステムにあっては、前記サーバから供給されるデザイン作成情報は、デザイン作成プログラム及び見本デザインデータの少なくとも一方を含む。よって、ユーザは外部機器にて、デザイン作成プログラムや見本デザインデータに基づき、所望のデザインに対応する時計デザインデータを容易に作成することができる。
【００１５】
また、請求項１２記載の発明に係る腕時計デザインシステムにあっては、前記所定の表示面積を有する表示手段は、時計本体の文字盤に設けられた電子表示部であり、前記時計デザインデータは、前記文字盤のデザインデータである。したがって、ユーザが、文字盤に所望のデザインが施された腕時計を迅速に入手することが可能となるシステムを構築することができる。
【００１６】
また、請求項１３記載の発明に係る腕時計デザインシステムにあっては、前記所定の表示面積を有する表示手段は、可撓性のバンド部を含む腕時計全体の表面に設けられた電子表示部であり、前記時計デザインデータは、前記可撓性のバンド部を含む腕時計全体のデザインデータである。したがって、ユーザが、文字盤を含む腕時計全体の表面にのデザインが施された腕時計を迅速に入手することが可能となるシステムを構築することができる。
【発明の効果】
【００１７】
本発明に係る腕時計、腕時計デザインプログラム及び腕時計デザイン方法によれば、所望のデザインに対応する時計デザインデータを外部から取得し、この取得した時計デザインデータに基づき所望のデザインを所定の表示面積を有する表示手段に表示させることにより、瞬時にして当該腕時計に所望のデザインを施すことができる。よって、ユーザは迅速に所望するデザインを有する腕時計を入手することが可能となる
【００１８】
また、本発明に係る腕時計デザインシステムによれば、腕時計が所望のデザインに対応する時計デザインデータを外部機器から取得し、この取得した時計デザインデータに基づき表示手段が前記所望のデザインを表示手段に表示させることにより、瞬時にして当該腕時計に所望のデザインを施すことができる。よって、ユーザが迅速に所望するデザインを有する腕時計を入手することが可能となるシステムを構築することができる。
【発明を実施するための最良の形態】
【００１９】
以下、本発明の一実施の形態を図に従って説明する。
【００２０】
（第１の実施の形態）
【００２１】
図１は、本発明の第１の実施の形態の概要を示す図である。すなわち、同図（ａ）（ｂ）に示すように、本実施の形態に係る腕時計１００は、時計ケース１０１とこの時計ケース１０１の両端部に係着されたリストバンド１０２、及びこのリストバンド１０２の先端部を係止するバックル１０３とを備えている。時計ケース１０１の上面部には、ＬＣＤパネル等で構成される電子表示部１０４と赤外線送受信ポート１０５が設けられ、上面部と側面部にはスイッチ操作部１０６が設けられ、一方の側面には外部インターフェース端子１０７が設けられている。そして、本実施の形態は前記電子表示部１０４に、図１（ａ）（ｂ）及び同図（ｄ）〜（ｇ）にも示すように、電子表示によるケース枠／文字盤表示１０８と電子表示による時刻表示１０９とを行うことにより、時計ケース１０１の文字盤部分に所望のデザインを施すものである。
【００２２】
この所望のデザインを施すに際しては、同図（ｃ）に示すように、ＰＣ等の外部機器２００を、ネットワーク（インターネット）３００を介してサーバー４００に接続し、サーバー４００との通信により作成した時計デザインデータをＵＳＢなどの有線５００で腕時計１００に取り込む方法、メディア／メモリ媒体６００に記録されている時計デザインデータを外部機器２００で読み取って、ＵＳＢ５００などの有線で腕時計１００に取り込む方法、無線リンク付携帯電話端末７００を、無線基地局８００及びネットワーク３００を介してサーバー４００に接続し、サーバー４００との通信により得られた時計デザインデータをブルーツゥースなどの近距離無線により、腕時計１００に取り込む方法などが考えられる。
【００２３】
図２は、本実施の形態のシステム構成図である。前記腕時計１００は、ＣＰＵ及びワーク用のＲＡＭ等で構成される制御部１１０を有している。この制御部１１０には、電源制御部１１１を介して、電池１１２から電源が供給され、制御部１１０は各部を制御するとともに、必要な電源を各部に供給する。また、制御部１１０には、前記操作部１０６及び電子表示部１０４が接続されているともに、報知部１１３、時計部１１４、本体機能用データメモリ１１５、ダウンロード機能用データメモリ１１６、プログラムメモリ１１７、及び表示用データメモリ１１８が接続されている。
【００２４】
報知部１１３は制御部１１０からの指示に従って各種報知音を生成するものであり、時計部１１４は、発振部１１９が生成する所定周波数のクロック信号に基づき時刻データを生成する。本体機能用データメモリ１１５は、制御部１１０が腕時計としての機能を発生するに必要なデータ記憶するものであり、ダウンロード機能用データメモリ１１６は、この腕時計１００が外部機器２００等から得た各種データを記憶する。プログラムメモリ１１７は、制御部１１０が動作するに必要なダウンロード通信用プログラム、時計表示用プログラム、その他のダウンロードしたダウンロードプログラムを格納し、表示用データメモリ１１８は電子表示部１０４に表示させる表示用データを格納する。
【００２５】
さらに、制御部１１０には入力制御部１２０に接続されている。入力制御部１２０には、ＵＳＢインターフェース回路１２１と無線リンク部１２２とが接続されており、ＵＳＢインターフェース回路１２１は、前記外部インターフェース端子１０７を介して前記ＵＳＢなどの有線５００が接続される。無線リンク部１２２は、前記携帯電話端末７００と近距離無線接続するための機能を有し、ベースバンド部１２３とＲＦ／送受信部１２４とを備え、ＲＦ／送受信部１２４にはアンテナ１２５が接続されている。
【００２６】
そして、この腕時計１００はＵＳＢなどの有線５００を介して、前記ＰＣ等の外部機器２００に接続され、外部機器２００はメディア／メモリ媒体６００であるＣＤ−ＲＯＭ／ＤＶＤを駆動するＣＤ−ＲＯＭ／ＤＶＤに接続されているともに、前記携帯電話端末７００と近距離無線リンクするアンテナ２０３を有する無線リンク部２０２に接続されている。また、外部機器２００は、ＩＳＰ３０１及びインターネット３００を介して、前記サーバー４００に接続される。
【００２７】
一方、前記無線リンク付携帯電話端末７００は、ＣＰＵ等で構成される制御部７０１を有し、制御部７０１はＲＯＭ／Ｆｌａｓｈ７０２に格納されたプログラムに基づき。ＲＡＭ／Ｆｌａｓｈ７０３をワークエリアとして用いて動作することにより各部を制御するものである。この制御部７０１には、ＩＤ／ＳＩＭ７０４が接続されているとともに、操作部７０５、表示部７０６及び入力制御部７０７が接続されている。入力制御部７０７には、ＵＳＢインターフェース回路７０８と無線リンク部７０９とが接続されており、無線リンク部７０９は、前記腕時計１００と近距離無線接続するための機能を有し、ベースバンド部７１０とＲＦ／送受信部７１１とを備え、ＲＦ／送受信部７１１にはアンテナ１２５が接続されている。
【００２８】
さらに、制御部７０１には、無線電話部７１２に接続されている。無線電話部７１２は、送受信部７１３、通信制御部７１４、音声処理部７１５、スピーカ４１６及びマイクロホン７１７で構成され、送受信部７１３にはアンテナ７１８が接続されている。そして、通信制御部７１４の制御により、アンテナ７１８を介して送受信部７１３により受信された音声データは、音声処理部７１５で復号化される等の処理がなされ、スピーカ７１６にから放音される。また、マイクロホン４１７により検出された音声は、音声処理部７１５で符号化される等の処理がなされ、送受信部７１３を介してアンテナ７１８より送信される。なお、この携帯電話端末７００も無線基地局８００、移動体通信網８０１、ＧａｔｅＷａｙ８０２、インターネット３００を介してサーバー４００に接続することが可能である。
【００２９】
以上の構成に係る本実施の形態において、腕時計１００の制御部１１０は、前記プログラムに基づき図３に示すフローチャートに従って処理を実行する。すなわち、初期設定を行った後（ステップＳ１０１）、外部機器２００又は携帯電話端末７００と通信中であるか否かを判断する（ステップＳ１０２）。通信中であるならば、ユーザによる操作部１０１での操作によりダウンロード受信が指示されたか否かを判断し（ステップＳ１０３）、ダウンロード受信が指示されていない場合には、その他の通信処理を実行する（ステップＳ１０４）。
【００３０】
ダウンロード受信が指示された場合には、外部機器２００又は携帯電話端末７００との通信により、該外部機器２００又は携帯電話端末７００を動作させて、図１（ｄ）〜（ｇ）に示したいずれかのデザイン表示を電子表示部１０４に表示させるための必要なプログラムやデータをダウンロードさせてこれを受信する（ステップＳ１０５）。さらに、この必要なプログラムやデータのダウンロードが終了したか否かを判断し（ステップＳ１０６）、ダウンロードが終了したならば、このダウンロードプログラム（表示プログラム）を解凍して、プログラムメモリ１１７に格納することにより組み込み（ステップＳ１０７）、このプログラム等に基づく仕様モード、表示仕様、キー仕様の割り当てを行う（ステップＳ１０８）。そして、この組み込みが終了したか否かを判断し（ステップＳ１０９）、終了した場合にはキー入力があったか否かを判断して（ステップＳ１１０）、あった場合には後述するステップＳ１２９に進む。
【００３１】
また、前記ステップＳ１０２での判断の結果、通信中でなかった場合には、ＨＡＬＴ／御パワーセーブを行って、時計キャリーの割り込みがあったい否かを判断し（ステップＳ１１２）、時計キャリーの割り込みはなくキー入力があった場合には後述するステップＳ１２９に進む。また、時計キャリーの割り込みはなくその他の割り込みがあった場合には、その他の割り込み処理を実行する（ステップＳ１１３）。
【００３２】
そして、時計キャリーがあった場合には、時計処理を行って現在時刻データを生成し（ステップＳ１１４）、定期的な通信があったか否かを判断する（ステップＳ１１５）。定期的な通信がなかった場合には、待ち受け状態か否かを判断し（ステップＳ１１６）、待ち受け状態である場合には待ち受け受信処理を実行する（ステップＳ１１７）。この待ち受け受信処理中において、着信があったか否かを判断し（ステップＳ１１８）、着信がなかった場合には待ち受け受信を終了し（ステップＳ１１９）、着信があった場合には着信処理を実行する（ステップＳ１２０）。また、ステップＳ１１５での判断の結果、定期的な通信があった場合には、ポーリング（巡回問合せ）通信、センサーデータ受信、レポート送信を行う（ステップＳ１２１）。
【００３３】
そして、ステップＳ１２２では、組み込み済みのダウンロードプログラムがあるか否かを判断する。このとき、本例においては前述したステップＳ１０７の処理により、ダウンロードプログラムが解凍されて、プログラムメモリ１１７に格納することにより組み込まれている。したがって、このステップＳ１２２の判断がＹＥＳとなり、ダウンロードした表示プログラムに基づく処理を実行する（ステップＳ１２３）。このステップＳ１２３での処理により、腕時計１００の電子表示部１０４には、電子表示によるケース枠／文字盤表示１０８と電子表示による時刻表示１０９とからなる、図１（ｄ）〜（ｇ）に示したいずれかのデザイン表示がなされることとなる。また、この表示プログラムと前記ステップＳ１１４で得られた解延在時刻データとに基づき、時刻表示１０９は減算時刻を示す値に歩進される。
【００３４】
さらに、センサー機能プログラム基づく処理（ステップＳ１２４）、その他ダウンロード済プログラムに基づく処理（ステップＳ１２５）、アラーム処理（ステップＳ１２６）、その他の表示処理（ステップＳ１２７）を実行する。また、キー入力があったか否かを判断し（ステップＳ１２８）、キー入力がない場合には前述したステップＳ１０２からの処理を繰り返す。キー入力があった場合には、操作キーに応じたキー入力処理を実行し（ステップＳ１２９）、表示モード切り替え（ステップＳ１３０）、共通のキー処理（ステップＳ１３１）、ダウンロードプログラムのキー処理（ステップＳ１３２）、ＰＣ等との通信処理（ステップＳ１３３）、各機能の設定処理（ステップＳ１３４）、その他のキー処理（ステップＳ１３５）を行ってステップＳ１０２からの処理を繰り返す。
【００３５】
（第２の実施の形態）
【００３６】
図４は、前記サーバー４００と腕時計１００及びＰＣ等の外部機器２００とのネットワーク通信接続システム構成図である。腕時計１００は、前記プログラムメモリ１１７を有し、ＰＣとの通信ソフト１７１を用いて、端末（腕時計１００）の認証データ１７２０等を外部機器２００に送信し、あるいは外部機器２００からの各種データ等を受信する機能を有している。また、この通信機能等を実現するためにプロファイル層１７３、プロトコル層１７４、及びＵＳＢ／ＢＴ／無線ＬＡＮ１７５を備えて、外部機器２００に接続される。
【００３７】
前記外部機器２００は、アプリ層２５０にユーザの認証データ２５１等を腕時計１００とサーバー４００とに送信し、あるいは各種データ等を受信するための腕時計との通信ソフト２５２及びＷＷＷ／ＦＰＴ  Ｃｌｉａｎｔ  Ｂｒｒｗｓｅｒ２５３を備えている。また、この通信機能等を実現するためにプロファイル層２５４、プロトコル層２５５、ＵＳＢ／ＢＴ／無線ＬＡＮ２５６、ＨＴＴＰ／ＦＴＰ２５７、ＴＣＰ／ＩＰ２５８及びＥｔｈｅｒＮｅｔ／ＰＰＰ２５９を備えて、インターネット３００を介してサーバー４００に接続される。
【００３８】
サーバー４００は。ＦＴＰサーバー４５０とＷＷＷサーバー４５１とで構成される。ＦＴＰサーバー４５０は、Ｓｅｖｅｒソフト４５５に従って動作し、その他時計用プログラムライブラリ４５２、時計用表示プログラムライブラリ４５３、時計表示用コンテンツライブラリ４５５からの読み出し及び書込処理を実行する。ＷＷＷサーバー４５１は、ＨＴＭＬ、ＸＭＬ文書作成制御部４５６がＳｅｖｅｒソフト４５７、ＣＧＩプログラム４５８、４５９に従って動作することにより、認証／決済システム４６０、データベースシステム４６１、ＣＡＤ設計システム４６２とのデータの授受を行う。認証／決済システム４６０は、認証／決済ソフト４６３により読み出し及び書込を制御される会員登録ＤＢ４６４と課金決済ＤＢ４６５とを有している。データベースシステム４６１は、データベース検索ソフトにより読み出し及び書込を制御されるデータベースファイル４７７を有している。ＣＡＤ設計システム４６２は、ＣＡＤ／設計支援ソフト４７８により読み出し及び書込を制御される設計情報ＤＢ４７９、部品情報ＤＢ４８０及び顧客設計ＤＢ４８１を有している。また、ＨＴＴＰ／ＦＴＰ４８２、ＴＣＰ／ＩＰ４８３及びＥｔｈｅｒＮｅｔ／ＰＰＰ４８４を備えて、インターネット３００を介して前記外部機器２００に接続される。
【００３９】
図５は、本発明の第２の実施の形態における腕時計１００、ＰＣ等の外部機器２００及びサーバー４００の処理手順を示すものである。すなわち、腕時計１００の制御部１１０は、外部機器２００と接続されている状態において、図４に示すフローチャートに従って処理を実行する。すなわち、ＰＣ等の外部機器２００と通信接続し（ステップＡ１）、サービスのＵＲＬと製品のＩＤを送信する（ステップＡ２）。また、後述するようにＰＣ（外部機器２００）から転送されていくるプログラムやデータを受信して、プログラムメモリ１１７に格納する（ステップＡ３）。
【００４０】
一方、前記腕時計１００と同一のユーザが所有するＰＣ等の外部機器２００は、腕時計１００との通信を接続し（ステップＢ１）、前記ステップＡ２で腕時計１００から送信されてくるＵＲＬをサーバー４００に送信することにより、サーバー４００のホームページを呼び出す（ステップＢ２）。これによりサーバー４００から送信されてくるＨＴＭＬ、ＸＭＬ文書を受けて、メニュー画面を表示し（ステップＢ３）、このメニュー画面上にユーザ会員ＩＤ、パスワードを入力すると（ステップＢ４）、製品のＩＤ、会員ＩＤとパスワードをサーバー４００に送信して、会員認証を要求する（ステップＢ５）。
【００４１】
これにより、サーバー４００から送信されてくる認証結果に基づき、認証がＯＫであるか否かを判断する（ステップＢ６）。認証ＯＫであるならば、ユーザの表示仕様やソフトの注文設計の線Ｔかうに応じて（ステップＢ７）、ＵＲＬを送信し表示仕様やソフトの注文設計を呼び出す（ステップＢ８）。これにより、サーバー４００から送信されて受信した要素部品や見本を画面に表示し（ステップＢ９）、ユーザによる仕様やデザインの選択、作成の操作があると（ステップＢ１０）、部品や見本を組み合わせ、あるいは修正し、所望の仕様デザインのプログラムを作成する指示情報をサーバー４００に送信する（ステップＢ１１）。
【００４２】
また、これに応答してサーバー４００から送信されてくる出来上がりプログラムの設計図表、シミュレーション画像、見積書を画面に表示し（ステップＢ１２）、デザインが素終了したか否かを判断する（ステップＢ１３）。終了したならば、ダウンロード購入が指示されたか否かを判断し（ステップＢ１４）、指示されたならばユーザによる支払い方法選択及び認証入力操作に応じて（ステップＢ１５）、作成済みプログラムの購入申し込みと認証データをサーバー４００に送信する（ステップＢ１６）。これにより、サーバー４００から送信されてくる認証結果に基づき、課金認証がＯＫであるか否かを判断し（ステップＢ１７）、ＯＫであるならばプログラムやデータをダウンロードし、腕時計１００に送信する（ステップＢ１８）。
【００４３】
他方、サーバー４００は、前記ステップＢで外部機器２００からＵＲＬが送信されてくると、該ＵＲＬを入力し（ステップＣ１）、サービスメニューのＨＴＭＬ、ＸＭＬ文書を外部機器２００に送る（ステップＣ２）。また、前記ステップＢ５での処理により外部機器２００から会員認証の要求があると、認証ＣＧＩプログラムを起動し（ステップＣ３）、認証ソフトＮＳに基づき人ＣＧＩプログラム処理を実行して（ステップＣ４）、認証結果を送信する（ステップＣ５）。また、この送信した認証結果がＯＫであるか否かを判断し（ステップＣ６）、ＯＫであるならば、前記ステップＢ８での外部機器２００からの呼出要求に応じて、注文設計支援ソフトを呼び出す（ステップＣ７）。そして、この呼び出した注文設計支援ソフトＣＳに基づき、ソフト注文設計ＣＧＩ処理を実行し（ステップＣ８）、表示仕様、デザインの要素部品、見本等を外部機器２００に送信する（ステップＣ９）。
【００４４】
また、前記ステップＢ１１での処理により外部機器２００から送信される指示情報に応じて、注文設計支援ソフトを呼び出す（ステップＣ１０）。そして、この呼び出した注文設計支援ソフトＣＳに基づき、ソフト注文設計ＣＧＩ処理を実行し（ステップＣ１１）、ユーザ作成の仕様、デザインの設計図表、シミュレーション画像、見積書を作成して外部機器２００に送信する（ステップＣ１２）。また、前記ステップＢ１６での処理により外部機器２００から送信される作成済みプログラムの購入申し込みと認証データに応じて、認証プログラムを起動し（ステップＣ１３）、課金認証ソフトＫＳに基づき、課金認証ＣＧＩ処理を実行し（ステップＣ１４）、認証がＯＫであるか否かを判断する（ステップＣ１５）。認証ＯＫであるならば、外部機器２００に認証結果を送信した後（ステップＣ１６）、作成したプログラムＦｉｌｅやデータを送信する（ステップＣ１７）。
【００４５】
この送信されたプログラムＦｉｌｅやデータが、前記ステップＢ１８の処理で外部機器２００にダウンロードされて腕時計１００に転送され、前記ステップＡ４での処理により、腕時計１００のプログラムメモリ１１７に格納される。したがって、このプログラムＦｉｌｅやデータを用いて電子表示部１０４に表示されるデザインが図１（ｄ）〜（ｇ）のいずれかであったとすると、前述した図３に示したステップＳ１２３と同様の処理が実行去れることにより、電子表示によるケース枠／文字盤表示１０８と電子表示による時刻表示１０９とからなる、図１（ｄ）〜（ｇ）に示したいずれかのデザイン表示がなされることとなる。
【００４６】
（第３の実施の形態）
【００４７】
図６は、本発明の第３の実施の形態の概要を示す図である。すなわち、同図（ａ）（ｂ）に示すように、本実施の形態に係る実際の腕時計１５０は、実際の時計ケース１５１とこの実際の時計ケース１５１の両端部に係着された可撓性を有する実際のリストバンド１５２、及びこの実際のリストバンド１５２の先端部を係止するバックル１５３とを備えている。実際の時計ケース１５１と実際のリストバンド１５２の表面側には、フィルムＬＣＤやＥＬなどで構成される可撓性を有する電子表示部１５４が積層されている。また、実際の時計ケース１５１の側面部には外部インターフェース端子１５７が設けられている。そして、本実施の形態は前記電子表示部１５４に、図１（ａ）（ｂ）及び同図（ｄ）〜（ｇ）にも示すように、所望のデザインからなるバーチャル腕時計１６０を表示させて、恰もユーザがオリジナルデザインの腕時計を装着しているように見せるものである。したがって、このバーチャル腕時計１６０は、各々電子表示による、時刻表示部１６１、ベゼルや文字盤部１６２、リューズやキー１６３、時計ケース１６４、リストバンド１６５等を有し実際の一般的な腕時計と同様の外観構成を有する。
【００４８】
この所望のデザインからなるバーチャル腕時計１６０を表示際しては、同図（ｃ）に示すように、ＰＣ等の外部機器２００を、ネットワーク（インターネット）３００を介してサーバー４００に接続し、サーバー４００との通信により作成した時計デザインデータを腕時計１５０に取り込む方法、メディア／メモリ媒体６００に記録されている時計デザインデータを外部機器２００で読み取って、腕時計１５０に取り込む方法などが考えられる。なお、本実施の形態におけるシステム構成は図２に示した第１の実施の形態と同様である。
【００４９】
以上の構成に係る本実施の形態において、ＰＣ等の外部機器２００は、予め格納されているプログラムに基づき、図７に示すように、その表示画面２０１に、機能メニュー２０２、描画ツール２０３、シミュレーション画像２０４、ブラシ／ペンの設定パレット２０５、色設定のパレット２０６、カラー調整２０７、シミュレーション動作の操作コントロール２０８、テンプレートのジャンル別見出し２０９、外観デザイン用のテンプレート（見本、ひな形）２１０等からなるバーチャル腕時計の注文設計画面を表示させる。そして、このバーチャル腕時計の注文設計画面を表示させつつ、前記プログラムに基づき、図８及び図９に示す一連のフローチャートに従って処理を実行する。
【００５０】
すなわち、時計のカスタムデザインのメニュー画面を表示し（ステップＳ３０１）、側ケースのデザインが選択されたか否かを判断する（ステップＳ３０２）。側ケースのデザインが選択された場合には、側ケースのデザインメニューと見本や部品、設計ツールを表示する（ステップＳ３０３）。さらに、時計の側ケースのデザインを見本から選択し、必要があれば修正やカスタム設計する（ステップＳ３０４）。また、側ケースの材質、表面加工、色、柄を選択し、必要があれば修正やカスタム設計する（ステップＳ３０５）。そして、選択、設計した時計の側ケースのデザインデータを登録し、画面に表示する（ステップＳ３０６）。これを部品や見本として追加登録するか否かを判断し（ステップＳ３０７）、追加登録する指示があった場合には、設計したデザインを、新しい部品や見本として、名前を付けて登録する（ステップＳ３０８）。また、デザインの終了又はやり直すが指示されたか否かを判断する（ステップＳ３０９）。そして、このステップＳ３０９の判断がＹＥＳであった場合には、再度ステップＳ３０３からの処理を実行し、ＮＯであった場合にはステップＳ３１０に進む。
【００５１】
このステップＳ３１０では、ベゼルや文字盤のデザインが選択されたか否かを判断する。ベゼルや文字盤のデザインが選択された場合には、ベゼルや文字盤、操作部等のデザインメニューと見本や部品、設計ツールを表示する（ステップＳ３１１）。さらに、ベゼルや文字盤、操作部等のデザインを見本から選択し、必要があれば修正やカスタム設計する（ステップＳ３１２）。また、ベゼルや文字盤、操作部等の材質、表面加工、色、柄を選択し、必要があれば修正やカスタム設計する（ステップＳ３１３）。そして、選択、設計した時計のベゼルや文字盤、操作部等のデザインデータを登録し、画面に表示する（ステップＳ３１４）。これを部品や見本として追加登録するか否かを判断し（ステップＳ３１５）、追加登録する指示があった場合には、設計したデザインを、新しい部品や見本として、名前を付けて登録する（ステップＳ３１６）。また、デザインの終了又はやり直すが指示されたか否かを判断する（ステップＳ３１７）。そして、このステップＳ３１７の判断がＹＥＳであった場合には、再度ステップＳ３１１からの処理を実行し、ＮＯであった場合にはステップＳ３１８に進む。
【００５２】
このステップＳ３１８では、バンドのデザインが選択されたか否かを判断する。バンドのデザインが選択された場合には、バンドのデザインメニューと見本や部品、設計ツールを表示する（ステップＳ３１９）。さらに、バンドのデザインを見本から選択し、必要があれば修正やカスタム設計する（ステップＳ３２０）。また、バンドの材質、表面加工、色、柄を選択し、必要があれば修正やカスタム設計する（ステップＳ３２１）。そして、選択、設計したバンドのデザインデータを登録し、画面に表示する（ステップＳ３２２）。これを部品や見本として追加登録するか否かを判断し（ステップＳ３２３）、追加登録する指示があった場合には、設計したデザインを、新しい部品や見本として、名前を付けて登録する（ステップＳ３２４）。また、デザインの終了又はやり直すが指示されたか否かを判断する（ステップＳ３２５）。そして、このステップＳ３２５の判断がＹＥＳであった場合には、再度ステップＳ３１９からの処理を実行し、ＮＯであった場合には図８のステップＳ３２６に進む。
【００５３】
このステップＳ３２６では、時刻表示のデザインが選択されたか否かを判断する。時刻表示のデザインが選択された場合には、時刻表示のデザインメニューと見本や部品、設計ツールを表示する（ステップＳ３２７）。さらに、時刻表示などの表示方法やデザインを見本から選択し、必要があれば修正やカスタム設計する（ステップＳ３２８）。また、時刻表示の色、柄、文字フォント、詳細仕様を選択し、必要があれば修正やカスタム設計する（ステップＳ３２９）。そして、選択、設計した表示のデザインデータを登録し、画面に表示する（ステップＳ３３０）。これを部品や見本として追加登録するか否かを判断し（ステップＳ３３１）、追加登録する指示があった場合には、設計したデザインを、新しい部品や見本として、名前を付けて登録する（ステップＳ３３２）。また、デザインの終了又はやり直すが指示されたか否かを判断する（ステップＳ３３３）。そして、このステップＳ３３３の判断がＹＥＳであった場合には、再度ステップＳ３２７からの処理を実行し、ＮＯであった場合にはステップＳ３３４に進む。
【００５４】
このステップＳ３３４では、腕時計１００へのバーチャル腕時計データ（時計デザインデータ）の送信操作があったか否かを判断する。そして、送信操作があった場合には、このフローチャートにより作成された前記側ケースのデザイン、ベゼルや文字盤のデザイン、バンドのデザイン、時刻表示のデザイン等からなるバーチャル腕時計表示データを腕時計１００に送信する。
【００５５】
一方、腕時計１００は図１０に示すフローチャートに従って処理を実行し、外部機器２００から送信されるバーチャル腕時計表示データ（時計デザインデータ）を受信したか否かを判断する（ステップＳ４０１）。受信したならば、この受信した側ケースのデザイン、ベゼルや文字盤のデザイン、バンドのデザイン、時刻表示のデザイン等からなるバーチャル腕時計表示データを表示用データメモリ１１８（図２参照）に格納する（ステップＳ４０２）。そして、このバーチャル腕時計表示データに基づき、電子表示部１５４を制御して、前記側ケースのデザイン、ベゼルや文字盤のデザイン、バンドのデザイン、時刻表示のデザイン等からなるバーチャル腕時計１６０を表示させる（ステップＳ４０３）。
【００５６】
したがって、このステップＳ４０３での処理により、図６（ｄ）〜（ｆ）に示したように、実際の腕時計１５０の電子表示部１５４にバーチャル腕時計１６０が表示されることとなる。よって、瞬時にして実際の腕時計１５０に所望のデザインを施すことが可能となる。
【図面の簡単な説明】
【００５７】
【図１】本発明の第１の実施の形態の概要を示す図である。
【図２】同実施の形態のシステム構成図である。
【図３】同実施の形態における腕時計の処理手順を示すフローチャートである。
【図４】サーバーと腕時計及びＰＣ等の外部機器とのネットワーク通信接続システム構成図である。
【図５】本発明の第２の実施の形態における腕時計、ＰＣ等の外部機器及びサーバーの処理手順を示すフローチャートであるに。
【図６】本発明の第３の実施の形態の概要を示す図である。
【図７】同実施の形態におけるＰＣ等の外部機器の表示画面例を示す図である。
【図８】同実施の形態におけるＰＣ等の外部機器の処理手順を示すフローチャートである。
【図９】図８に続くフローチャートである。
【図１０】同実施の形態における腕時計の処理手順を示すフローチャートである。
【符号の説明】
【００５８】
１００    腕時計
１０１    操作部
１０１    時計ケース
１０２    リストバンド
１０３    バックル
１０４    電子表示部
１０５    赤外線送受信ポート
１０６    スイッチ操作部
１０７    外部インターフェース端子
１０８    ケース枠／文字盤表示
１０９    時刻表示
１１０    制御部
１１４    時計部
１１５    本体機能用データメモリ
１１６    ダウンロード機能用データメモリ
１１７    プログラムメモリ
１１８    表示用データメモリ
１１９    発振部
１２０    入力制御部
１２２    無線リンク部
１５０    （実際の）腕時計
１５１    時計ケース
１５２    リストバンド
１５３    バックル
１５４    電子表示部
１６０    バーチャル腕時計
１６５    リストバンド
１７１    通信ソフト
２００    外部機器
２０２    機能メニュー
２０２    無線リンク部
２０３    アンテナ
３００    ネットワーク（インターネット）
４００    サーバー
６００    メディア／メモリ媒体
７００    無線リンク付携帯電話端末
７０１    制御部
７０２    ＲＯＭ／Ｆｌａｓｈ
７０３    ＲＡＭ／Ｆｌａｓｈ
７０４    ＩＤ／ＳＩＭ
７０５    操作部
７０６    表示部
７０７    入力制御部
７０９    無線リンク部
７１３    送受信部
７１４    通信制御部
７１５    音声処理部
【図１】
2006284365.tif 000003
【図２】
2006284365.tif 000004
【図３】
2006284365.tif 000005
【図４】
2006284365.tif 000006
【図５】
2006284365.tif 000007
【図６】
2006284365.tif 000008
【図７】
2006284365.tif 000009
【図８】
2006284365.tif 000010
【図９】
2006284365.tif 000011
【図１０】
2006284365.tif 000012